(57)【要約】【課題】プラズマディスプレイパネルを流れる駆動電流に起因する電磁妨害波を低減することができるプラズマディスプレイ装置を提供すること。【解決手段】複数の互いに平行な電極を持つプラズマディスプレイパネルと、前記電極に電圧を印加する駆動回路基板と、前記プラズマディスプレイパネルを保持し、かつ、前記駆動回路基板のグラウンドが接続されるシャーシ導体と、前記シャーシ導体と絶縁層を介して設けられ、前記駆動回路基板以外の回路基板のうち少なくとも１つ以上の回路基板のグラウンドが接続される第１追加導体板と、を備える。【選択図】図１
2009229787.tif 000002
【特許請求の範囲】
【請求項１】
複数の互いに平行な電極を持つプラズマディスプレイパネルと、
前記電極に電圧を印加する駆動回路基板と、
前記プラズマディスプレイパネルを保持し、かつ、前記駆動回路基板のグラウンドが接続されるシャーシ導体と、
前記シャーシ導体と絶縁層を介して設けられ、前記駆動回路基板以外の回路基板のうち少なくとも１つ以上の回路基板のグラウンドが接続される第１追加導体板と、を備えるプラズマディスプレイ装置。
【請求項２】
前記シャーシ導体からみて前記第１追加導体板とは反対側に、絶縁層を介して設けられた第２追加導体板をさらに備え、
前記第２追加導体板は、前記第１追加導体板と端部周辺で接続されて前記シャーシ導体を囲む構成である、請求項１記載のプラズマディスプレイ装置。
【請求項３】
前記第１追加導体板は、前記シャーシ導体からみて前記プラズマディスプレイとは反対側に設けられている、請求項１乃至２記載のプラズマディスプレイ装置。
【請求項４】
前記第１追加導体板は、最大面積を持つ平面の面積が前記シャーシ導体の最大面積を持つ平面の面積以上である、請求項１乃至２記載のプラズマディスプレイ装置。
【発明の詳細な説明】
【技術分野】
【０００１】
本発明は、大画面で薄型のディスプレイ装置として知られているプラズマディスプレイ装置に関するものである。
【背景技術】
【０００２】
プラズマディスプレイ（Ｐｌａｓｍａ  ｄｉｓｐｌａｙ）装置やＣＲＴディスプレイ（Ｃａｔｈｏｄｅ−Ｒａｙ  Ｔｕｂｅ  ｄｉｓｐｌａｙ）装置などの自発光型ディスプレイ装置は、視野角の依存性が無く自然な映像が得られることから広く使用されている。特にプラズマディスプレイ装置は、薄型であり、かつ大画面を構成するのに最適であることから、急速に普及が進んでいる。
【０００３】
従来、プラズマディスプレイ装置は、主としてプラズマディスプレイパネル、プラズマディスプレイパネルを保持するシャーシ導体、シャーシ導体に取り付けられる各種の回路基板、を有するプラズマディスプレイモジュール部と、そのモジュールを囲むシールド筐体によって構成されている。
【０００４】
このプラズマディスプレイパネルは、ガス放電により発生した紫外線によって各放電セルに設けられた蛍光体を励起して可視光を発生させて表示光とするディスプレイであり、複数の電極（走査・維持電極対およびアドレス電極）が格子状に配列され、各電極の交差部となる放電セルを選択的に発光させることにより画像を形成する。この原理により、電極には駆動のための大きな電流が流れるため、プラズマディスプレイモジュールからはこの電流によって電磁界が発生する。
【０００５】
また、プラズマディスプレイ装置においては、プラズマディスプレイパネルに送る映像信号を処理する各種の信号処理回路基板が設けられるが、これらの回路基板に用いられるクロック信号等による不要電磁界も発生する。
【０００６】
発生する電磁界をシールドするためのシールド筐体は、例えば、導電性のフィルタの貼り付けられた前面ガラスと、背面側の導電性バックカバーとを、導電性の部材で接続して、プラズマディスプレイモジュールを囲む構成をとり、発生する電磁界を電磁気的に遮蔽している。
【０００７】
しかし、近年の高画質化に伴う駆動電力の増加等により、従来のシールド筐体の構成では確実に電磁界を低減することが困難になってきており、特に数十ＭＨｚ以下の低周波領域においては、従来のシールド筐体ではこれらの電磁界を十分に低減することはできず、ノイズとして外部に放射してしまうという課題があった。
【０００８】
このような課題に対し、プラズマディスプレイ装置の一端側に設けられた駆動用基板と他端に設けられた駆動用基板の間を接続している接地戻り導体板に、隣接導体筒を設け、この隣接導体筒に発生する渦電流により接地戻り導体板のインダクタンス分を打ち消すようにしたものが提案されている（例えば、特許文献１参照）。
【０００９】
また、ノイズの発生する基板を導電体で囲んで個別にシールドする方法が提案されている（例えば、特許文献２参照）。
【００１０】
また、プラズマディスプレイパネルを保持するシャーシ導体をバックカバーに接続して駆動回路基板を囲んでシールドする構成としたプラズマディスプレイ装置も提案されている（例えば、特許文献３参照）。
【特許文献１】特開２００１−８３９０９号公報
【特許文献２】特開平１０−１７０８１号公報
【特許文献３】特開平１０−２８２８９６号公報
【発明の開示】
【発明が解決しようとする課題】
【００１１】
しかしながら、特許文献１に記載のプラズマディスプレイ装置においては、パネルと接地戻り導体板の内側に低減効果が期待できる大きさの隣接導体筒を挿入すると流れる電流のループ面積全体が拡大して低減しようとする電磁界そのものも増加して低減効果が薄れるという課題がある。
【００１２】
また、従来のプラズマディスプレイ装置においては、シャーシ導体にはプラズマディスプレイパネルを駆動するための駆動電流が流れている。このため、シャーシ導体に接続される各種の回路基板を介してシールド筐体の外部に出て行くケーブル等により、駆動電流に起因するノイズがシールド筐体外部から放射されてしまうという課題があるが、これを低減することができない。
【００１３】
また、特許文献２および３のプラズマディスプレイ装置においては、信号処理回路基板や駆動回路基板自体はシールド効果が増すものの、プラズマディスプレイパネルとシャーシ導体間に流れる電流により発生する電磁界は十分に低減することはできず、また、上述したようにケーブル等を介してシールド外部から放射されてしまうノイズを低減することができないという課題がある。
【００１４】
本発明は上記課題に鑑みてなされたものであり、プラズマディスプレイパネルを流れる駆動電流に起因する電磁妨害波を低減することができるプラズマディスプレイ装置を提供することを目的とする。
【課題を解決するための手段】
【００１５】
上記目的は以下のプラズマディスプレイ装置により達成できる。当該課題を達成するためのプラズマディスプレイ装置は、複数の互いに平行な電極を持つプラズマディスプレイパネルと、前記電極に電圧を印加する駆動回路基板と、前記プラズマディスプレイパネルを保持し、かつ、前記駆動回路基板のグラウンドが接続されるシャーシ導体と、前記シャーシ導体と絶縁層を介して設けられ、前記駆動回路基板以外の回路基板のグラウンドが接続される第１追加導体板とを備える。
【発明の効果】
【００１６】
本発明によるプラズマディスプレイ装置によれば、駆動電流が流れるシャーシ導体と回路基板等のグラウンドを分離することで、プラズマディスプレイパネルを流れる駆動電流に起因する電磁妨害波を効率的に低減することができるプラズマディスプレイ装置を提供することができる。
【発明を実施するための最良の形態】
【００１７】
以下、プラズマディスプレイ装置等の実施の形態について図面を参照して説明する。なお、実施の形態において同様の動作を行う構成要素に同じ符号を付し、再度の説明を省略する場合がある。
【００１８】
（実施の形態１）
図１から図４は、実施の形態１に係るプラズマディスプレイ装置を示しており、図１はこの発明の実施の形態１に係るプラズマディスプレイ装置の構成を説明するための横断面概略図であり、実施の形態としての不要電磁波輻射に深く関連する構造物のみを示している。図２は実施の形態１に係るプラズマディスプレイ装置におけるプラズマディスプレイモジュールの構成を説明するための斜視図、図３（ａ）は実施の形態１に係るプラズマディスプレイ装置におけるプラズマディスプレイパネルの電極構造を説明するための斜視図、図３（ｂ）はその断面図、図４は実施の形態１のプラズマディスプレイ装置における導電性前面フィルタの構造を説明するための斜視図である。
【００１９】
図１および図２において、本発明の実施の形態１に係るプラズマディスプレイ装置１におけるプラズマディスプレイモジュール２は、長手方向に平行な走査・維持電極１４および短手方向に平行なアドレス電極１５を有するプラズマディスプレイパネル１０の非表示面側に、プラズマディスプレイパネル１０の保持板であるシャーシ導体１１が熱伝導シート（図示せず）を介して配置されている。
【００２０】
また、シャーシ導体１１の表示面と反対側には、第１追加導体板１１ａが設けられており、シャーシ導体１１とは電気的には一点でアース接続されている。
【００２１】
走査・維持電極用駆動回路基板１２ａ、アドレス電極用駆動回路基板１２ｂ、中継回路基板１２ｃ、放電制御回路基板１２ｄ、電源回路基板１２ｅ、映像信号処理回路基板１２ｆは、第１追加導体板１１ａの背面側に配置されている。ただし、走査・維持電極用駆動回路基板１２ａのグラウンドは、第１追加導体板１１ａには接続されず、シャーシ導体１１に電気的に接続されている。走査・維持電極１４では、走査・維持電極用駆動回路基板１２ａから発生した駆動信号は、フレキシブルケーブル１３ａによってプラズマディスプレイパネル１０の走査・維持電極１４に伝えられ、アドレス電極１５では、放電制御回路基板１２ｄで発生した高周波信号が、フレキシブルケーブル１３ｄによって中継回路基板１２ｃに伝えられ、フレキシブルケーブル１３ｃによってアドレス電極用駆動回路基板１２ｂに伝えられ、アドレス電極用駆動回路基板１２ｂで駆動信号が発生して、フレキシブルケーブル１３ｂによってプラズマディスプレイパネル１０のアドレス電極１５に伝えられる構成となっている。
【００２２】
プラズマディスプレイパネル１０は、図３に示すように、前面ガラス板１０１と背面ガラス板１０２とが貼り合わされる構造となっており、前面ガラス板１０１には誘電体層１０３が形成されて走査電極１４ａと維持電極１４ｂとからなる走査・維持電極１４が誘電体層１０３に保護される形で多数形成される。背面ガラス板１０２にも誘電体層１０３が形成されており、アドレス電極１５が保護される形で多数形成される。
【００２３】
走査・維持電極１４とアドレス電極１５との交差位置で、走査・維持電極１４とアドレス電極１５とに挟まれた部分が放電セル１０４であり、ヘリウム（Ｈｅ）、ネオン（Ｎｅ）、キセノン（Ｘｅ）等の希ガスを含む放電ガスが封入されている。放電セル１０４は、隔壁１０５で区画されて形成され、各放電セル内は、赤、青、緑の蛍光体１０６ａ〜１０６ｃが塗り分けられている。
【００２４】
シャーシ導体１１は、熱伝導率および電気伝導率の高いアルミニウム、銅等の金属板で構成され、一方の面（表示面側）には熱伝導シートを介してプラズマディスプレイパネル１０が取り付けられている。他方の面（背面側）は、第１追加導体板１１ａを挟んで、走査・維持電極用駆動回路基板１２ａのグラウンドと接続されている。このため、シャーシ導体１１はプラズマディスプレイパネル１０を保持し、強度を保つ強度部材として機能するだけでなく、走査・維持電極用駆動回路基板１２ａの電気的なグラウンドとしても機能する。例えば、走査・維持電極用駆動回路基板１２ａのシグナルグラウンドはＡ点で、フレームグラウンドであるシャーシ導体１１に接地されている。
【００２５】
第１追加導体板は、熱伝導率および電気伝導率の高いアルミニウム、銅等の金属板で構成され、背面側は、走査・維持電極用駆動回路基板１２ａ以外の基板のグラウンドと接続されている。このため、走査・維持電極用駆動回路基板１２ａ以外の基板の電気的なグラウンドとして機能する。例えば、アドレス電極用駆動回路基板１２ｂのシグナルグラウンドはＢ点で、中継回路基板１２ｃのシグナルグラウンドはＣ点で、放電制御回路基板１２ｄのシグナルグラウンドはＤ点で、電源回路基板１２ｅのシグナルグラウンドはＥ点で、映像信号処理回路基板１２ｆのシグナルグラウンドはＦ点で、それぞれフレームグラウンドである追加導体板１１ａに接地されている。
【００２６】
導電性前面フィルタ２０は、図４に示すように、ポリエステルフィルムなどからなるベース層２０１、ベース層２０１上に銅などの金属メッシュまたはスパッタ形成された導電層２０２、導電層２０２の周縁部に形成された金属端部２０３、透明な絶縁樹脂で導電層２０２上に形成された保護膜２０４、からなる。金属端部２０３は保護膜２０４で覆われていないので、電気的な接続箇所として機能する。
【００２７】
なお、導電層２０２としては、金属メッシュとして銅メッシュ、スパッタとして銀スパッタなどが用いられる。なお、金属メッシュの方が抵抗率が低いため、高いシールド効果が得られる。
【００２８】
前面ガラス１８は、プラズマディスプレイパネル１０の前面側に配置され、その裏面（表示面と反対側）に導電性前面フィルタ２０が貼り付けられている。
【００２９】
ガラス押さえ金具１７は、前面キャビネット１９との間で前面ガラス１８を挟むことで固定するとともに、前面ガラス１８に貼り付けられた導電性前面フィルタ２０の金属端部２０３と導電性の接触部材である導電性ガスケット２１を介して電気的に接触するように配置される。さらには導電性ガスケット２１を介してバックカバー１６とも接触している。
【００３０】
なお、導電性のガスケットとは例えばスポンジのような弾性材料の表面に金属繊維を貼り付けた構成である。ここでは導電性の接触部材として導電性のガスケットを用いたが、これに限られない。すなわち導電性を有し、２つの部材間の電気的接触の安定性を確保するものであればよい。例えば、導電性のバネ部をガラス押さえ金具１７に形成してもよい。このようにすれば、低コスト化が可能である。
【００３１】
バックカバー１６は、導電性の金属板をプレス成形することにより形成され、プラズマディスプレイパネル１０の背面と各駆動回路基板等を覆うようにガラス押さえ金具１７に固定されており、プラズマディスプレイパネル１０、各駆動回路基板等から放射される電磁波を遮蔽する役割を担っている。
【００３２】
ここで、本実施の形態に係るプラズマディスプレイ装置１において、駆動電流による電磁妨害波の不要輻射が低減される原理および動作について、プラズマディスプレイパネルの動作原理に基づいて説明する。
【００３３】
まず、プラズマディスプレイパネル１０の画像表示原理について説明する。最初に、走査電極１４ａの全ラインに電圧を印加して全部の放電セルで放電を起こす初期化放電を行う。次に、走査電極１４ａに順次電圧を印加するとともに、電圧が印加された走査電極上で発光させたい放電セルと交わるアドレス電極１５にも電圧を印加する。これをアドレス放電といい、電圧が印加された走査電極１４ａとアドレス電極１５とが交わる位置の放電セルが発光し、該放電セルが発光セルとして選択される。その後、走査電極１４ａと維持電極１４ｂとの間に交流電圧を印加する維持放電を行う。維持放電により、先程選択された発光セルのみが発光し、プラズマディスプレイパネルは画像を表示する。
【００３４】
次に、駆動電流による電磁妨害波の不要輻射が低減される原理および動作について図５を参照しながら説明する。図５は従来構成のプラズマディスプレイ装置３とパネル駆動電流の流れを示す図である。
【００３５】
図５の構成では、走査・維持電極用駆動回路基板１２ａから駆動される駆動電流は、図中に矢印で示すように、フレキシブルケーブル１３ａ、プラズマディスプレイパネル１０の走査・維持電極１４およびシャーシ導体１１を流れる。
【００３６】
ここで、走査・維持電極用駆動回路基板１２ａ以外の回路基板である、例えば電源回路基板１２ｅや映像信号処理回路基板１２ｆもシャーシ導体１１に接続されており、これらの基板には、コネクタ３０１を介して外部からケーブル３０２が接続される。そして、シャーシ導体１１を流れる駆動電流は、電源回路基板１２ｅや映像信号処理回路基板１２ｆのグラウンドを介してケーブル３０２にまで流れ込み、バックカバー１６の外部に達し、プラズマディスプレイ装置の外部へのノイズ放射を発生させる。
【００３７】
また、ケーブルが接続されない場合であっても、シャーシ導体１１自体に駆動電流が流れているため、電源回路基板１２ｅや映像信号処理回路基板１２ｆのシグナルグラウンドとしては不安定であり、これらの基板自身がノイズの放射源となってシールド筐体の隙間などからノイズを発生したりする。また、映像信号処理回路基板１２ｆに駆動電流が流れ込んで不要な映像信号として画像を乱したりする可能性がある。
【００３８】
また、大きな駆動電流が流れるシャーシ導体１１自身がノイズの放射源ともなる。
【００３９】
本実施の形態においては、第１追加導体板１１ａが設けられて、走査・維持電極用駆動回路基板１２ａ以外の回路基板のシグナルグラウンドとして機能する。ここでシャーシ導体１１を流れる駆動電流は第１追加導体板１１ａとは電気的には一点接続であるため、主としてシャーシ導体１１に流れ、第１追加導体板１１ａにはほとんど流れない。よって、電源回路基板１２ｅや映像信号処理回路基板１２ｆにケーブルが接続された場合に、駆動電流が流れ込むことを低減でき、ノイズ放射を低減することができる。
【００４０】
また、電源回路基板１２ｅや映像信号処理回路基板１２ｆのシグナルグラウンドも不要な電流が流れず安定するため上述したようなノイズの発生や画像の乱れを低減することができる。
【００４１】
また、本実施の形態においては、第１追加導体板１１ａがシャーシ導体１１の背面側に設けられているため、大きな駆動電流が流れるシャーシ導体１１自身が放射源となるノイズについても、シールドの役割を果たしてノイズを低減することができる。
【００４２】
なお、第１追加導体板１１ａの最大面積を持つ平面の面積がシャーシ導体１１の最大面積を持つ平面の面積と同等またはそれ以上であることが好ましい。第１追加導体板１１ａがシグナルグラウンドとして安定して低インピーダンスを維持でき、また、上述したシールドとしての効果がより得られるためである。
【００４３】
なお、本実施の形態においては、走査・維持電極用駆動回路基板１２ａのみがシャーシ導体１１に接続される構成としたが、これに限られない。例えば、電源回路基板１２ｅのみや、電源回路基板１２ｅと映像信号処理回路基板１２ｆを第１追加導体板１１ａに接続して、他の基板をシャーシ導体１１に接続することも可能である。このようにすれば、アドレス電極用駆動回路基板１２ｂなどによるアドレス放電時の駆動電流についても電源回路基板１２ｅや映像信号処理回路基板１２ｆから分離することが可能となり、アドレス放電に起因するノイズも低減することが可能である。
【００４４】
（実施の形態２）
次に、本発明の実施の形態２について、図６を参照しながら説明する。実施の形態２は実施の形態１と比べて、第２追加導体板を更に備えた点で異なる。
【００４５】
図６は本発明の実施の形態２に係るプラズマディスプレイ装置４の構成を説明するための断面概略図である。
【００４６】
本発明の実施の形態２においては、プラズマディスプレイパネル１０の非表示面側に、プラズマディスプレイパネル１０の保持板として、第２追加導体板１１ｂが熱伝導シート（図示せず）を介して配置されている。シャーシ導体１１は第２追加導体板１１ｂと熱電層シート（図示せず）を介して配置されている。第１追加導体板１１ａはシャーシ導体１１の背面側に設けられており、シャーシ導体１１とは電気的には一点でアース接続されている。
【００４７】
第１追加導体板１１ａと第２追加導体板１１ｂは４辺各辺同士がそれぞれ接続されており、全体としてシャーシ導体１１を囲む構成となっている。
【００４８】
その他の構成は図１および図２に示す実施の形態１と同様であり、走査・維持電極用駆動回路基板１２ａのグラウンドのみが、第１追加導体板１１ａには接続されず、シャーシ導体１１に電気的に接続されており、その他の基板のグラウンドは第１追加導体板１１ａに接続されている。
【００４９】
本実施の形態によれば、シャーシ導体１１が第１追加導体板１１ａと第２追加導体板１１ｂに囲まれる構成となるので、大きな駆動電流が流れるシャーシ導体１１自身が放射源となるノイズについてのシールド効果を更に増すことができ、ノイズをさらに低減することができる。
【００５０】
また、第１追加導体板１１ａと第２追加導体板１１ｂが接続されることで、第１追加導体板１１ａに接続される基板に対してさらに低インピーダンスの安定したグラウンドを提供することが可能となり、電源回路基板１２ｅや映像信号処理回路基板１２ｆにケーブルが接続された場合に、駆動電流が流れ込むことをさらに低減でき、ノイズ放射を低減することができる。
【００５１】
また、電源回路基板１２ｅや映像信号処理回路基板１２ｆのシグナルグラウンドも不要な電流が流れずさらに安定するためノイズの発生や画像の乱れを低減することができる。
【００５２】
なお、本実施の形態では第１追加導体板１１ａと第２追加導体板１１ｂは４辺各辺同士がそれぞれ接続されており、全体としてシャーシ導体１１を囲む構成をとっているが、これに限られない。つまり、左右の２辺同士や上下の２辺同士のみが接続されるような構成であってもよい。
【００５３】
また、本実施の形態においては、走査・維持電極用駆動回路基板１２ａのみがシャーシ導体１１に接続される構成としたが、これに限られない。例えば、電源回路基板１２ｅのみや、電源回路基板１２ｅと映像信号処理回路基板１２ｆを第１追加導体板１１ａに接続して、他の基板をシャーシ導体１１に接続することも可能である。このようにすれば、アドレス電極用駆動回路基板１２ｂなどによるアドレス放電時の駆動電流についても電源回路基板１２ｅや映像信号処理回路基板１２ｆから分離することが可能となり、アドレス放電に起因するノイズも低減することが可能である。
【００５４】
上記の各実施の形態において用いた具体的な数値等は、単に一例を挙げたに過ぎず、表示デバイスの特性や画像表示装置の仕様等に合わせて、適宜最適な値に設定することが可能である。
【００５５】
上述の実施の形態は本発明の一例である。本発明は、以上の実施の形態に限定されることなく、種々の変更が可能であり、それらも本発明の範囲内に包含されるものであることは言うまでもない。
【産業上の利用可能性】
【００５６】
以上のように、本発明にかかるプラズマディスプレイ装置は、プラズマディスプレイパネルを流れる電流により発生する電磁妨害波を効果的に低減可能なプラズマディスプレイ装置等として有用である。
【図面の簡単な説明】
【００５７】
【図１】本発明の実施の形態１に係るプラズマディスプレイ装置の構成を説明するための横断面概略図
【図２】プラズマディスプレイモジュールの構成を説明するための斜視図
【図３】（ａ）実施の形態１に係るプラズマディスプレイ装置におけるプラズマディスプレイパネルの電極構造を説明するための斜視図、（ｂ）実施の形態１に係るプラズマディスプレイ装置におけるプラズマディスプレイパネルの電極構造を説明するための断面図
【図４】導電性前面フィルタの構造を説明するための斜視図
【図５】従来構成のプラズマディスプレイ装置とパネル駆動電流の流れを示す説明図
【図６】本発明の実施の形態２に係るプラズマディスプレイ装置の構成を説明するための断面概略図
【符号の説明】
【００５８】
１、３、４  プラズマディスプレイ装置
２  プラズマディスプレイモジュール
１０  プラズマディスプレイパネル
１１  シャーシ導体
１２ａ  走査・維持電極用駆動回路基板
１２ｂ  アドレス電極用駆動回路基板
１２ｃ  中継回路基板
１２ｄ  放電制御回路基板
１２ｅ  電源回路基板
１２ｆ  映像信号処理回路基板
１３ａ、１３ｂ、１３ｃ、１３ｄ  フレキシブルケーブル
１４  走査・維持電極
１５  アドレス電極
１６  バックカバー
１７  ガラス押さえ金具
１８  前面ガラス
１９  前面キャビネット
２０  導電性前面フィルタ
２１  導電性ガスケット
１０１  前面ガラス板
１０２  背面ガラス板
１０３  誘電体層
１０４  放電セル
１０５  隔壁
１０６ａ、１０６ｂ、１０６ｃ  蛍光体
２０１  ベース層
２０２  導電層
２０３  金属端部
２０４  保護膜
【図１】
2009229787.tif 000003
【図２】
2009229787.tif 000004
【図３】
2009229787.tif 000005
【図４】
2009229787.tif 000006
【図５】
2009229787.tif 000007
【図６】
2009229787.tif 000008